(57)【要約】    【課題】  操作性及びグリップ感の良好な撮像装置のグリップを提供する。    【解決手段】  デジタルカメラ１００は、デジタルカメラ１００の光軸方向と略垂直に配置されたメインフレーム３０１と、電池等から成るバッテリーモジュール２１１を収納する電池収納部３０２と、電池収納部３０２の正面側を覆うと共にこれに螺子等によって固定された左右一対の非金属製グリップ３０８ａ及び金属製グリップ３０８ｂとを備える。非金属製カメラグリップ３０８ａは、外側をエラストマー及び内側をプラスチックとする２色成型品であり、金属製カメラグリップ３０８ｂは、絞り加工によって指かけとなる凸形状部が形成されている。【選択図】      図７
2006047857.tif 000002
【特許請求の範囲】
【請求項１】
複数の成型部品から成る外装部を有する撮像装置のグリップにおいて、前記外装部に固定されたグリップ部と、前記グリップ部に設けられた指かけ用の金属製の凸形状部とを備え、前記凸形状部は、プレス加工により成形されていることを特徴とする撮像装置のグリップ。
【請求項２】
前記グリップ部は、左右一対の金属製グリップ部及び非金属製グリップ部から成ることを特徴とする請求項１記載の撮像装置のグリップ。
【請求項３】
前記非金属製グリップ部は、プラスチック及びゴムの一体成型品であることを特徴とする請求項２記載の撮像装置のグリップ。
【請求項４】
前記凸形状部の内側に別部品が配置されていることを特徴とする請求項１乃至３のいずれか１項に記載の撮像装置のグリップ。
【請求項５】
前記別部品は、リモートコントロール用の受光窓であることを特徴とする請求項４記載の撮像装置のグリップ。
【請求項６】
前記凸形状部は、前記撮像装置の撮影光学系の光軸よりも上方に位置することを特徴とする請求項１乃至５のいずれか１項に記載の撮像装置のグリップ。
【請求項７】
前記金属製グリップ部は、少なくとも２辺の縁が折り曲げられていることを特徴とする請求項１乃至６のいずれか１項に記載の撮像装置のグリップ。
【発明の詳細な説明】
【技術分野】
【０００１】
本発明は、撮像装置のグリップに関する。
【背景技術】
【０００２】
従来のカメラのグリップは、グリップのホールド性を向上させるために、カメラの前側方向に突出し、このグリップ内には、部品レイアウト上の問題や、使用時の重心バランスの関係から、電池収納室が設けられている。また、グリップは、カメラ操作時において、ユーザの力が最も加わる箇所であるので、グリップがホールドされたときに軋み音の発生等の品位を損なう現象が起こらないように、ある程度の強度を確保している必要があり、この強度は、複数の部品を組み合わせることによって確保されている（例えば、特許文献１参照）。
【特許文献１】特開２００３−３１５８８６号公報
【発明の開示】
【発明が解決しようとする課題】
【０００３】
しかしながら、従来のカメラのグリップは、その肉厚を単純に増やすことによって強度を確保しているので、電池の大きさによってはグリップが大型化し、カメラのデザイン上の自由度が低下して、良好なホールド性及び操作感を実現することが困難となり、カメラのユーザに疲労感等の煩わしさを与えかねない。
【０００４】
また、特許文献１のカメラも、部品点数の増加及び組み立て性の悪化等が懸念される。
【０００５】
本発明の目的は、操作性及びグリップ感の良好な撮像装置のグリップを提供することにある。
【課題を解決するための手段】
【０００６】
上記目的を達成するために、請求項１記載の撮像装置のグリップは、複数の成型部品から成る外装部を有する撮像装置のグリップにおいて、前記外装部に固定されたグリップ部と、前記グリップ部に設けられた指かけ用の金属製の凸形状部とを備え、前記凸形状部は、プレス加工により成形されていることを特徴とする。
【０００７】
請求項２記載の撮像装置のグリップは、請求項１記載の撮像装置のグリップにおいて、前記グリップ部は、左右一対の金属製グリップ部及び非金属製グリップ部から成ることを特徴とする。
【０００８】
請求項３記載の撮像装置のグリップは、請求項２記載の撮像装置のグリップにおいて、前記非金属製グリップ部は、プラスチック及びゴムの一体成型品であることを特徴とする。
【０００９】
請求項４記載の撮像装置のグリップは、請求項１乃至３のいずれか１項に記載の撮像装置のグリップにおいて、前記凸形状部の内側に別部品が配置されていることを特徴とする。
【００１０】
請求項５記載の撮像装置のグリップは、請求項４記載の撮像装置のグリップにおいて、前記別部品は、リモートコントロール用の受光窓であることを特徴とする。
【００１１】
請求項６記載の撮像装置のグリップは、請求項１乃至５のいずれか１項に記載の撮像装置のグリップにおいて、前記凸形状部は、前記撮像装置の撮影光学系の光軸よりも上方に位置することを特徴とする。
【００１２】
請求項７記載の撮像装置のグリップは、請求項１乃至６のいずれか１項に記載の撮像装置のグリップにおいて、前記金属製グリップ部は、少なくとも２辺の縁が折り曲げられていることを特徴とする。
【発明の効果】
【００１３】
請求項１記載の撮像装置のグリップによれば、外装部に固定されたグリップ部と、グリップ部に設けられた指かけ用の金属製の凸形状部とを備え、凸形状部は、プレス加工により成形されているので、グリップの強度を高めると共に操作性及びグリップ感が良好となる。
【００１４】
請求項２記載の撮像装置のグリップによれば、グリップ部は、左右一対の金属製グリップ及び非金属製グリップから成るので、グリップのデザインの自由度を高めると同時に強度も高めることができる。
【００１５】
請求項３記載の撮像装置のグリップによれば、非金属製グリップ部は、プラスチック及びゴムの一体成型品であるので、グリップ感をより良好にすることができる。
【００１６】
請求項４記載の撮像装置のグリップによれば、凸形状部の内側に別部品が配置されているので、凸形状部の内側のスペースを有効活用することができる。
【００１７】
請求項５記載の撮像装置のグリップによれば、別部品は、リモートコントロール用の受光窓であるので、別途リモートコントロール用の受光窓用のスペースを設ける必要をなくすことができ、グリップのデザインの自由度を高めることができる。
【００１８】
請求項６記載の撮像装置のグリップによれば、凸形状部は、撮像装置の撮像光学系の光軸よりも上方に位置するので、グリップのホールド感を高めることができる。
【００１９】
請求項７記載の撮像装置のグリップによれば、金属製グリップ部は、少なくとも２辺の縁が折り曲げられているので、グリップの強度をより確実に高めることができる。
【発明を実施するための最良の形態】
【００２０】
以下、本発明の実施の形態を図面を用いて詳述する。
【００２１】
図１は、本発明の実施の形態に係る撮像装置の斜視図であり、（ａ）は正面側から見た場合、（ｂ）は背面側から見た場合を夫々示す。
【００２２】
図１において、デジタルカメラ１００は、正面側の正面側外装部１０１と背面側の背面側外装部１０２とを備える。
【００２３】
正面側外装部１０１は、中央部に被写体像を取り込む光学系を有するレンズ部１０３と、レンズ部１０３を保持する鏡筒部１０４とを備え、上方に、ストロボ部１０５と、光学ファインダ窓１０６と、各種光学センサ用に設けられた光学センサ窓１０７とを備え、上側部に撮影を実行するレリーズボタン１０８を備える。
【００２４】
正面側外装部１０１は、図中左側部にグリップ１０９を備える。
【００２５】
背面側に背面側外装部１０２は、上方に、光学式変倍機能又はデジタル式変倍機能使用時に左右夫々の端に設けられたスイッチによってその倍率を調整するズームボタン１１０と、カメラ本体の電源のＯＮ／ＯＦＦを行うスイッチ１１１とを備え、中央部に撮影画像の確認、再生、及び撮影条件等の各種情報の表示を行う液晶表示装置（ＬＣＤ：Liquid Crystal Display）１１２と、十字型に配列された４つのスイッチ押圧箇所を有し、液晶表示装置１１２に表示されるメニューを操作・選択することによってデジタルカメラ１００の動作を制御する十字キー１１３とを備え、下方に十字キー１１３と同様の機能を有するスイッチ群１１４を備える。
【００２６】
図２は、図１のデジタルカメラ１００の構成を概略的に示すブロック図である。
【００２７】
図２において、デジタルカメラ１００は、デジタルカメラ１００を制御すると共に各種データの演算を行うＣＰＵ（Central Processing Unit）２０１と、ＣＰＵ２０１が動作中に各種データを格納するＲＡＭ（Random Access Memory）２０２と、ＣＰＵ２０１で実行されるプログラムや各種データを予め格納するＲＯＭ（Read Only Memory）２０３と、レンズやシャッター等を制御し、ＣＣＤ（Charge Coupled Device）及びＣＭＯＳ（Complementary Metal-Oxide Semiconductor）等の撮像素子から出力される撮像信号に基づいて画像データを出力するカメラモジュール２０４と、カメラモジュール２０４から出力された画像データのＪＰＥＧ（Joint Photographic Expert Group）圧縮及びＪＰＥＧ圧縮された画像データの伸張を行うＪＰＥＧモジュール２０５と、ＪＰＥＧモジュール２０５によって圧縮された画像データを画像ファイルとして保存する取り外し可能な不揮発性メモリカード２０７が接続されるメモリカードインターフェース部２０６と、液晶表示装置１１２に撮影画像及び再生画像等の表示を行うビデオモジュール２０８と、デジタルカメラ１００に備える不揮発性メモリ（不図示）又は不揮発性メモリカード２０７に保存された画像データを印刷するプリントモジュール２０９と、ユーザによって操作される各種ボタンの状態を読取るユーザインターフェースモジュール２１０と、デジタルカメラ１００を動作させるための電源を供給するバッテリーモジュール２１１とを備え、これらは夫々バス２１２を介して接続されている。
【００２８】
図３は、図１のデジタルカメラ１００の斜視図であり、（ａ）は正面側から見た場合、（ｂ）は背面側から見た場合を夫々示す。
【００２９】
図３において、デジタルカメラ１００は、デジタルカメラ１００の光軸方向に略垂直に配置されたメインフレーム３０１を備える。
【００３０】
デジタルカメラ１００は、また、撮像光学系を備える鏡筒部１０４と、電池等から成るバッテリーモジュール２１１を収納する電池収納部３０２と、デジタルカメラ１００の主要電気部品であるＤＲＡＭ４０１、画像処理用チップ４０２、及びＣＰＵ４０３等が実装されるメイン基板３０３と、半田付け等によってリード線を介して電池端子に接続され、電池端子に接続されたバッテリーモジュール２１１から電源が供給されると共に、デジタルカメラ１００を駆動及び制御するのに必要な安定した電源をデジタルカメラ１００に供給するＤＣ／ＤＣコンバータ回路を搭載したＤＣ／ＤＣ基板３０４と、撮像光学系のズーム制御等のメカ的な制御を行う半導体チップを実装したメカドライバ基板３０５と、ストロボ部１０５の発光制御を行うストロボ回路を搭載したストロボ基板３０６と、テレビ受像機等の外部映像デバイスに接続されるアナログビデオ端子３０７ａ、外部直流電源に接続される電源端子３０７ｂ、及びＰＣ等に接続されるデジタル端子３０７ｃを各種外部接続端子として実装した外部接続端子基板３０７と、ストロボユニット等の各種メカ部品（不図示）とを備え、これらは螺子等によってメインフレーム３０１に固定されている。
【００３１】
デジタルカメラ１００は、さらに、電池収納部３０２の正面側を覆うと共にこれに螺子等によって固定された左右一対の非金属製グリップ３０８ａ及び金属製グリップ３０８ｂと、非金属製グリップ３０８ａ及び金属製グリップ３０８ｂの上部正面側及び上部側面側に設けられたリモコン受光窓３０９と、リモコン投光素子を備えるリモートコントローラ（不図示）からの信号を受けると共に、撮影及びズーム等のカメラの制御を行うリモコン受光素子３１０とを備える（図４）。
【００３２】
アナログビデオ端子３０７ａ，電源端子３０７ｂ，及びデジタル端子３０７ｃは、他の電気実装部品と比べ背の高い部品であるので、これらを備える外部接続端子基板３０７は、鏡筒部１０４の直下で且つデジタルカメラ１００の底面部に略並行に配置されている。これにより、鏡筒部１０４、カメラ側面部、及びカメラ底面部に囲まれるスペースに効率的に実装される。
【００３３】
ＤＣ／ＤＣ基板３０４、メカドライバ基板３０５、及びストロボ基板３０６は、メイン基板３０３に垂直に配置されており、ＤＣ／ＤＣ基板３０４は、電池収納室３０２に隣接位置に配置されている。これにより、バッテリーモジュール２１１から供給される電源を効率よく取り入れることができる。
【００３４】
メイン基板３０３はコネクタ３０３ａを備え、メカドライバ基板３０５はコネクタ３０５ｂを備えており、ＤＣ／ＤＣ基板３０４は、ＤＣ／ＤＣ基板３０４が備えるコネクタ３０４ｂに接続されたコネクタ３０５ｂを介してメカドライバ基板３０５と電気的に接続され、また、ＤＣ／ＤＣ基板３０４が備えるコネクタ３０４ａに接続されたコネクタ３０３ａを介してメイン基板３０２と電気的に接続されている（図５）。
【００３５】
メイン基板３０３は、ＤＣ／ＤＣ基板３０４とコネクタ接続しており、且つメインフレーム３０１と螺子によって固定されているので、背面側外装部１０２を取り外すだけで容易に組ばらしが可能であり、もって、メイン基板３０２を交換するだけでカメラの機能変更等を行うことができる。
【００３６】
図６は、図３における非金属製カメラグリップ３０８ａの斜視図である。
【００３７】
図６において、非金属製カメラグリップ３０８ａは、外側をエラストマー及び内側をプラスチックとする２色成型品であり、熱溶着又は螺子等により固定されたリモコン受光窓３０９を備え、図８における矢印で示される２箇所において、螺子によって電池収納部３０２に固定される。
【００３８】
図７は、図３における金属製カメラグリップ３０８ｂの斜視図であり、（ａ）は外観側から見た場合、（ｂ）は内側から見た場合を夫々示す。
【００３９】
図７において、金属製カメラグリップ３０８ｂは、爪部５０１ａ，５０１ｂを備え、デジタルカメラ１００の光軸よりも上部であるＡにおいて、絞り加工によって指かけ用の凸形状部が形成されている。
【００４０】
金属製カメラグリップ３０８ｂは、また、上面側、底面側、及び側面側の３面においても絞り加工が施され、その縁が折り曲げられており、もって、金属製カメラグリップ３０８ｂ単体の強度を強くすることができる。
【００４１】
非金属製カメラグリップ３０８ａは、穴部５０２ａ，５０２ｂを備え（図９）、これらは夫々金属製カメラグリップ３０８ｂが備える爪部５０１ａ，５０１ｂにデジタルカメラ１００の後方である矢印方向に嵌め込まれ、金属製カメラグリップ３０８ｂは、図１０における矢印で示す３箇所において、非金属製グリップ３０８ａとの境界線がグリップ１０９の略中央になるように螺子によって電池収容部３０２に固定される。
【００４２】
図６及び図７の非金属製カメラグリップ３０８ａ及び金属製カメラグリップ３０８ｂによれば、非金属製グリップ３０８ａの外側はエラストマーであるので、撮影者はエラストマーによる良好なグリップ感を得ることができる。
【００４３】
また、非金属製グリップ３０８ａは、２色成型品であるので、エラストマー及びプラスチックの別体貼付けを行うときは、成型上及び組み立て上の問題からエラストマーの形状を簡便な形状にせざるを得ないというエラストマーの形状に関する制約が無くなり、曲面を多用した外観部分にもエラストマー部を露出させることができ、もってデザイン上の自由度を飛躍的に向上させることができる。
【００４４】
さらに、金属製カメラグリップ３０８ｂは、絞り加工によって指かけ用の凸形状部が形成されているので、グリップ部の強度の向上が実現できると共に、凸形状部を設けたことによって生じたスペースにより効率的にリモコン受光窓３０９及びリモコン受光素子３１０を配置することができる。
【００４５】
本実施の形態では、非金属製グリップ３０８ａには、外側をエラストマー及び内側をプラスチックとする２色成型品を使用したが、グリップ感を向上させるためのゴム調塗装等を施したプラスチック品を使用してもよい。
【図面の簡単な説明】
【００４６】
【図１】本発明の実施の形態に係る撮像装置の斜視図であり、（ａ）は正面側から見た場合、（ｂ）は背面側から見た場合を夫々示す。
【図２】図１のデジタルカメラの構成を概略的に示すブロック図である。
【図３】図１のデジタルカメラの斜視図であり、（ａ）は正面側から見た場合、（ｂ）は背面側から見た場合を夫々示す。
【図４】図３のデジタルカメラの構造を説明するのに用いられる図であり、上部から見た図である。
【図５】図３のデジタルカメラが備える各種基板の接続方法を説明するのに用いられる図であり、（ａ）は夫々接続された状態を示し、（ｂ）は接続が解かれた状態を示す。
【図６】図３における非金属製カメラグリップの斜視図である。
【図７】図３における金属製カメラグリップの斜視図であり、（ａ）は外観側から見た場合、（ｂ）は内側から見た場合を夫々示す。
【図８】図３における非金属製グリップ及び電池収納部の接続方法を説明するのに用いられる図である。
【図９】図３における金属製グリップ及び非金属製グリップの接続方法を説明するのに用いられる図である。
【図１０】図３における金属製グリップ及び電池収納部の接続方法を説明するのに用いられる図である。
【符号の説明】
【００４７】
１００  カメラ
１０１  正面側外装部
１０２  背面側外装部
１０３  レンズ部
１０４  鏡筒部
１０５  ストロボ部
１０６  光学ファインダ窓
１０７  光学センサ窓
１０８  レリーズボタン
１０９  グリップ
１１０  ズームボタン
１１４  スイッチ群
２１１  バッテリーモジュール
３０１  メインフレーム
３０２  電池収納部
３０３  メイン基板
３０４  ＤＣ／ＤＣ基板
３０５  メカドライバ基板
３０６  ストロボ基板
３０７  外部接続端子基板
３０８ａ  非金属製グリップ
３０８ｂ  金属製グリップ
３０９  リモコン受光窓
【図１】
2006047857.tif 000003
【図２】
2006047857.tif 000004
【図３】
2006047857.tif 000005
【図４】
2006047857.tif 000006
【図５】
2006047857.tif 000007
【図６】
2006047857.tif 000008
【図７】
2006047857.tif 000009
【図８】
2006047857.tif 000010
【図９】
2006047857.tif 000011
【図１０】
2006047857.tif 000012